(57)【要約】【課題】情報端末装置を携帯している人がエレベータに乗降した際に、情報端末装置のマナーモードを自動的にオンしたりオフしたりすることを図る。【解決手段】気圧を測定する気圧測定部４と、加速度を測定する加速度測定部５と、前記測定された気圧の変化と前記測定された加速度による水平方向の動き検出の結果とに基づいてエレベータ昇降中であると判定した場合にマナーモードをオンにする制御部２と、を備える。【選択図】図１
2014045442.tif 000002
【特許請求の範囲】
【請求項１】
気圧を測定する気圧測定部と、
加速度を測定する加速度測定部と、
前記測定された気圧の変化と前記測定された加速度による水平方向の動き検出の結果とに基づいてエレベータ昇降中であると判定した場合にマナーモードをオンにする制御部と、
を備えたことを特徴とする情報端末装置。
【請求項２】
前記制御部は、エレベータ昇降中からエレベータ非昇降中への変化を検出した場合にマナーモードをオフにすることを特徴とする請求項１に記載の情報端末装置。
【請求項３】
気圧を測定する気圧測定部と、加速度を測定する加速度測定部と、を備えた情報端末装置のコンピュータに、
前記気圧測定部の測定値を取得する手順と、
前記加速度測定部の測定値を取得する手順と、
前記測定された気圧の変化と前記測定された加速度による水平方向の動き検出の結果とに基づいてエレベータ昇降中であると判定した場合にマナーモードをオンにする手順と、
を実行させるためのコンピュータプログラム。
【発明の詳細な説明】
【技術分野】
【０００１】
本発明は、情報端末装置及びコンピュータプログラムに関する。
【背景技術】
【０００２】
従来、人の位置をより正確に把握するために、携帯型気圧センサを用いて移動体の高度を計測する技術が知られている（特許文献１参照）。また、加速度センサ及び気圧センサを用いてエレベータやエスカレータの停止を判別して、建物内のエレベータやエスカレータの降り口位置に現在位置を変更する位置検出技術が知られている（特許文献２参照）。また、ＧＰＳ（Global Positioning System）衛星からの信号を受信していないと判定した場合にＧＰＳ衛星信号を用いる位置検出装置への電源供給を停止する位置検出装置制御技術が知られている（特許文献３参照）。また、階段やエレベータやエスカレータの位置を示す地図情報を有し、ＧＰＳ、距離センサ、方位センサ及び高度センサを用いて測定した位置及び歩行挙動に対応する地図情報中の位置を自身の位置として特定する位置検出技術が知られている（特許文献４参照）。
【先行技術文献】
【特許文献】
【０００３】
【特許文献１】特開２０１１−１１７８１８号公報
【特許文献２】特開２００９−２８７９８４号公報
【特許文献３】特開２０１０−３８７１２号公報
【特許文献４】特開２００９−２２９２０４号公報
【発明の概要】
【発明が解決しようとする課題】
【０００４】
人がエレベータに乗ったときは携帯電話機等の情報端末装置をマナーモード（着信音やキー操作音などの音を出さない動作モード）にすることが望ましい。しかし、エレベータに乗降するたびにマナーモードをオンしたりオフしたりすることは利用者にとって手間であり煩わしい。
【０００５】
本発明は、このような事情を考慮してなされたもので、情報端末装置を携帯している人がエレベータに乗降した際に、情報端末装置のマナーモードを自動的にオンしたりオフしたりすることができる情報端末装置及びコンピュータプログラムを提供することを課題とする。
【課題を解決するための手段】
【０００６】
本発明の一態様は、気圧を測定する気圧測定部と、加速度を測定する加速度測定部と、前記測定された気圧の変化と前記測定された加速度による水平方向の動き検出の結果とに基づいてエレベータ昇降中であると判定した場合にマナーモードをオンにする制御部と、を備えたことを特徴とする情報端末装置である。
【０００７】
本発明の一態様においては、前記制御部は、エレベータ昇降中からエレベータ非昇降中への変化を検出した場合にマナーモードをオフにすることを特徴とする。
【０００８】
本発明の一態様は、気圧を測定する気圧測定部と、加速度を測定する加速度測定部と、を備えた情報端末装置のコンピュータに、前記気圧測定部の測定値を取得する手順と、前記加速度測定部の測定値を取得する手順と、前記測定された気圧の変化と前記測定された加速度による水平方向の動き検出の結果とに基づいてエレベータ昇降中であると判定した場合にマナーモードをオンにする手順と、を実行させるためのコンピュータプログラムである。
【発明の効果】
【０００９】
本発明によれば、情報端末装置を携帯している人がエレベータに乗降した際に、情報端末装置のマナーモードを自動的にオンしたりオフしたりすることができる、という効果が得られる。
【図面の簡単な説明】
【００１０】
【図１】本発明の一実施形態に係る情報端末装置１の構成例を示すブロック図である。
【図２】図１に示す制御部２の動作手順の例を示すフローチャートである。
【発明を実施するための形態】
【００１１】
以下、図面を参照し、本発明の一実施形態について説明する。
図１は、本発明の一実施形態に係る情報端末装置１の構成例を示すブロック図である。図１において、情報端末装置１は、制御部２と記憶部３と気圧測定部４と加速度測定部５と計時部６と表示部７と操作部８を備える。
【００１２】
制御部２は、情報端末装置１の制御を行う。制御部２は、ハードウェアにより実現されるものであってもよく、又は、メモリ及びＣＰＵ（中央演算処理装置）により構成され、制御部２の機能を実現するためのプログラムをＣＰＵが実行することによりその機能を実現させるものであってもよい。
【００１３】
記憶部３は、各種のデータを保持する。記憶部３に保持されるデータは、制御部２が情報端末装置１の制御のために使用する制御データを含む。また、制御部２がＣＰＵから構成される場合、記憶部３に保持されるデータはＣＰＵで実行されるプログラムを含む。
【００１４】
気圧測定部４は気圧を測定する。加速度測定部５は加速度を測定する。計時部６は時間を計測する。表示部７は、液晶表示装置等の表示デバイスから構成され、データ表示を行う。操作部８は、キーボード、テンキー、マウス等の入力デバイスから構成され、利用者の操作に応じたデータ入力を行う。なお、表示部７及び操作部８が一体の構成（例えば液晶タッチパネル装置）であってもよい。
【００１５】
次に、図２を参照して制御部２の動作の例を説明する。図２は、制御部２の動作手順の例を示すフローチャートである。制御部２は、情報端末装置１の電源がオンになると図２の処理を開始する。
【００１６】
（ステップＳ１）制御部２は、計時部６の計時値を用いて気圧及び加速度の測定期間を計測する。気圧及び加速度は一定の周期で測定される。
（ステップＳ２）制御部２は測定タイミングであるか否かを判断する。この判断の結果、測定タイミングである場合にはステップＳ３に進み、測定タイミングでない場合には引き続き測定期間の計測を続ける。
【００１７】
（ステップＳ３）制御部２は気圧測定部４の測定値を取得する。
（ステップＳ４）制御部２は加速度測定部５の測定値を取得する。
【００１８】
（ステップＳ５）制御部２は、気圧測定部４の測定値及び加速度測定部５の測定値を用いて、情報端末装置１を携帯している人がエレベータで昇降しているか否かを判定する。
【００１９】
ここで、ステップＳ５のエレベータ昇降中判定方法を説明する。情報端末装置１を携帯している人がエレベータで昇降している場合には、情報端末装置１が水平方向に移動していない、且つ、情報端末装置１の高度が変化している。情報端末装置１が水平方向に移動していないことは、加速度測定部５の測定値を用いて水平方向の動きを検出することにより分かる。情報端末装置１の高度が変化していることは、気圧測定部４の測定値を用いて気圧の変化を検出することにより分かる。なお、誤判定の防止のために、気圧の変化がある程度（所定値）以上あることを判定条件に含めるようにしてもよい。
【００２０】
（ステップＳ６）ステップＳ５の判定の結果がエレベータ昇降中である場合はステップＳ７に進む。一方、ステップＳ５の判定の結果がエレベータ昇降中でない場合はステップＳ９に進む。
【００２１】
（ステップＳ７）制御部２は、情報端末装置１のマナーモードがオフであるかを判断する。この判断の結果、マナーモードがオフである場合にはステップＳ８に進み、マナーモードがオンである場合にはステップＳ１１に進む。
【００２２】
（ステップＳ８）制御部２は、情報端末装置１のマナーモードをオンにする。さらに、制御部２は、設定フラグをオンにする。この設定フラグは、情報端末装置１を携帯している人がエレベータに乗ったためにマナーモードを自動的にオンにしたことを示すためのフラグである。該設定フラグは、記憶部３の制御データ格納領域内の特定の領域に保持される。
【００２３】
（ステップＳ９）制御部２は、設定フラグがオンであるかを判断する。この判断の結果、設定フラグがオンである場合にはステップＳ１０に進み、設定フラグがオフである場合にはステップＳ１１に進む。
【００２４】
（ステップＳ１０）制御部２は、情報端末装置１のマナーモードをオフにする。さらに、制御部２は、設定フラグをオフにする。なお、ステップＳ９の判断の結果、設定フラグがオンである場合には、情報端末装置１を携帯している人がエレベータに乗ったためにマナーモードを自動的にオンにしたことを示すので、エレベータ昇降中でないと判断されたときには、ステップＳ１０でマナーモードを自動的にオフに戻す。
【００２５】
（ステップＳ１１）制御部２は、図２の処理の終了を判断する。この判断の結果、図２の処理を終了と判断した場合には図２の処理を終了する。一方、図２の処理を終了ではないと判断した場合にはステップＳ１に戻る。
【００２６】
上述した実施形態によれば、情報端末装置１を携帯している人が、エレベータに乗った場合に情報端末装置１のマナーモードを自動的にオンし、エレベータから降りた場合に情報端末装置１のマナーモードを自動的にオフすることができる。これにより、利用者はエレベータに乗降するたびにマナーモードをオンしたりオフしたりする必要がなくなり、利用者の便宜を図ることが可能になる。
【００２７】
以上、本発明の実施形態について図面を参照して詳述してきたが、具体的な構成はこの実施形態に限られるものではなく、本発明の要旨を逸脱しない範囲の設計変更等も含まれる。
【００２８】
なお、情報端末装置１としては、携帯可能な情報端末装置として、例えば、携帯電話機、「スマートフォン」と呼ばれる携帯型情報端末装置、タブレットコンピュータ（tablet PC）などが挙げられる。
【００２９】
また、エレベータ昇降中を判定する条件のうち「情報端末装置が水平方向に移動していない」を検出する構成として、ＧＰＳを利用して情報端末装置の位置の変化なしを検出することが考えられる。この場合には、通常、エレベータは屋内に設置されるので、ＧＰＳ衛星信号を屋内で確実に受信できるようなＧＰＳ衛星信号受信装置を利用することが望ましい。
【００３０】
また、上述した情報端末装置を実現するためのプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
【００３１】
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００３２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３３】
１…情報端末装置、２…制御部、３…記憶部、４…気圧測定部、５…加速度測定部、６…計時部、７…表示部、８…操作部
【図１】
2014045442.tif 000003
【図２】
2014045442.tif 000004